(57)【要約】【課題】  低域の信号が存在しない、または微小である音声信号を、ノイズが軽減された帯域拡張符号化する音声符号化装置を提供する。【解決手段】  音声符号化装置の拡張帯域エンコーダ部２１において、低域信号比検出部２５によって低域の信号が存在しない、または微小である検出された場合、符号化方式選択部２４ａは、拡張帯域の音声信号を、ＨＦＣ（High Frequency Coding）符号化部２９によって符号化させる。ＨＦＣ符号化部２９は、拡張帯域の音声信号のトーナリティに応じて、パラメータ符号化及び波形符号化を行う。【選択図】  図４
2008058727.tif 000002
【特許請求の範囲】
【請求項１】
音声信号の低域信号と高域信号とをそれぞれ異なる方式で符号化することによって、前記音声信号を符号化する音声符号化装置であって、
前記低域信号を符号化する低域信号符号化手段と、
前記高域信号の前記低域信号への相関情報を符号化することによって前記高域信号を符号化する高域信号符号化手段とを有し、
前記高域信号符号化手段は、前記高域信号のパワーを前記低域信号のパワーで除した比を算出し、その算出された比が所定の閾値以上の場合、前記比に対して単調減少関数となるゲインを前記高域信号に乗算して符号化する
ことを特徴とする音声符号化装置。
【請求項２】
音声信号の低域信号と高域信号とをそれぞれ異なる方式で符号化することによって、前記音声信号を符号化する音声符号化装置であって、
前記低域信号を符号化する低域信号符号化手段と、
前記高域信号のパワーを前記低域信号のパワーで除した比を算出し、その算出された比が所定の閾値以下の場合、前記高域信号の前記低域信号への相関情報を符号化することによって前記高域信号を符号化し、前記算出された比が所定の閾値を超える場合、前記低域信号との相関に係らずに前記高域信号を符号化する高域信号符号化手段と
を有することを特徴とする音声符号化装置。
【請求項３】
前記高域信号符号化手段は、前記算出された比が所定の閾値を超える場合、前記高域信号を複数のスケールファクタバンドに分割し、その分割されたスケールファクタバンド毎にトーナリティを算出し、その算出されたトーナリティがトーナリティ閾値以下であれば、そのスケールファクタバンドに含まれる信号をパラメータ符号化し、前記算出されたトーナリティが前記トーナリティ閾値を超えれば、そのスケールファクタバンドに含まれる信号を波形符号化する
ことを特徴とする請求項２に記載の音声符号化装置。
【請求項４】
前記スケールファクタバンド毎のトーナリティは、そのスケールファクタバンドに含まれるサブバンド信号のトーナリティの最大値である
ことを特徴とする請求項３に記載の音声符号化装置。
【請求項５】
前記トーナリティ閾値は、より高域の前記スケールファクタバンドに対して、より大きい値である
ことを特徴とする請求項３に記載の音声符号化装置。
【請求項６】
前記パラメータ符号化は、前記信号のパワー情報を含むパラメータの符号化である
ことを特徴とする請求項３に記載の音声符号化装置。
【発明の詳細な説明】
【技術分野】
【０００１】
本発明は、音声符号化装置に係り、特に、高域音声信号の符号化処理に関する。
【背景技術】
【０００２】
音声信号を帯域拡張符号化方式によって符号化する、即ち、基本部分である低域の信号の符号化と、拡張部分である高域の信号とを異なる符号化方式によって符号化することが知られている。この方法は、高域の信号と低域の信号との間には相関があるので、この相関情報としてパワーやノイズレベルやトーン信号成分を符号化することによって高域の信号を符号化するものである。この符号化方法によれば、高効率な音声信号の符号化が可能である。
【０００３】
例えば、あるサンプリング周波数によってサンプリングされた音声信号をＡＡＣ（Advanced Audio Coding）方式によって符号化するにあたり、エスビイアアル（登録商標。ＳＢＲ、Spectral Band Replication、スペクトル帯域複製。）方式（以後、ＳＢＲ方式と称する。）による符号化を組み合わせて符号化することが知られている。
【０００４】
ＡＡＣ方式と、ＳＢＲ方式とによって音声信号を符号化する場合、その音声信号を、例えば上記サンプリング周波数の半分の周波数でサンプリングした信号に変換して得られる低域の信号は、ＡＡＣ方式によって符号化する。
【０００５】
一方、低域以外の高域の信号は、ＳＢＲ方式によって符号化する。即ち、ＱＭＦ（Quadrature Mirror Filter）分析処理によってサブバンド信号に変換する。そして、まず、過渡信号の検出結果に基づいて、エンベロープ情報の区切りとなるグリッド情報を生成する。区切られた各サブバンドサンプルの領域（セグメント）毎のパワー情報をエンベロープ情報として符号化する。また、エンベロープ情報では表現しきれない信号は、付加的な情報として符号化する。
【０００６】
最後に、ＡＡＣ方式によって符号化された信号と、ＳＢＲ方式によって符号化された信号とが所定のフォーマットに整えられて、符号化は終了する（例えば、特許文献１参照。）。
【０００７】
このＳＢＲ方式によって符号化された各サンプル信号は、デコーダでは、ＡＡＣ方式によって符号化された情報をデコードして得られた低域のサブバンド信号からコピーすることによって得られた信号をベースにして復元される。
【特許文献１】特表２００５−５１０７７２号公報（第２−６頁、図９）
【発明の開示】
【発明が解決しようとする課題】
【０００８】
しかしながら、上述した特許文献１に開示されている方法では、低域の信号が存在しない、または微小である場合、高域の信号を精度よく表現して符号化することができず、符号化された音声信号がデコードされた際、ノイズが知覚される可能性がある問題点があった。
【０００９】
本発明は上記問題点を解決するためになされたもので、低域の信号が存在しない、または微小である音声信号を、ノイズが軽減された帯域拡張符号化する音声符号化装置を提供することを目的とする。
【課題を解決するための手段】
【００１０】
上記目的を達成するために、本発明の音声符号化装置は、音声信号の低域信号と高域信号とをそれぞれ異なる方式で符号化することによって、前記音声信号を符号化する音声符号化装置であって、前記低域信号を符号化する低域信号符号化手段と、前記高域信号の前記低域信号への相関情報を符号化することによって前記高域信号を符号化する高域信号符号化手段とを有し、前記高域信号符号化手段は、前記高域信号のパワーを前記低域信号のパワーで除した比を算出し、その算出された比が所定の閾値以上の場合、前記高域信号に前記比に対して単調減少関数となるゲインを前記高域信号に乗算して符号化することを特徴とする。
【００１１】
また、本発明の音声符号化装置は、音声信号の低域信号と高域信号とをそれぞれ異なる方式で符号化することによって、前記音声信号を符号化する音声符号化装置であって、前記低域信号を符号化する低域信号符号化手段と、前記高域信号のパワーを前記低域信号のパワーで除した比を算出し、その算出された比が所定の閾値以下の場合、前記高域信号の前記低域信号への相関情報を符号化することによって前記高域信号を符号化し、前記算出された比が所定の閾値を超える場合、前記低域信号との相関に係らずに前記高域信号を符号化する高域信号符号化手段とを有することを特徴とする。
【発明の効果】
【００１２】
本発明によれば、低域の信号が存在しない、または微小である音声信号を、ノイズが軽減された帯域拡張符号化する音声符号化装置を提供することができる。
【発明を実施するための最良の形態】
【００１３】
以下に、本発明による音声符号化装置の実施の形態を、図面を参照して説明する。
【００１４】
（第1の実施形態）
図１は、本発明の第１の実施形態に係る音声符号化装置の構成を示すブロック図である。この音声符号化装置は、ＰＣＭ音声信号１１を受信して符号化し、符号化された信号である符号化音声信号１２を生成する装置であり、ＰＣＭ音声信号１１の中の高域の信号を符号化する拡張帯域エンコーダ部２１と、低サンプリング周波数化部３１と、ＰＣＭ音声信号１１の中の低域の信号を符号化するＡＡＣエンコーダ部３２と、ストリームフォーマッタ部４１とからなる。
【００１５】
図２は、拡張帯域エンコーダ部２１の構成を示すブロック図である。拡張帯域エンコーダ部２１は、ＰＣＭ音声信号１１を受信するＱＭＦ分析部２２と、グリッド情報生成部２３と、ゲイン制御部２４と、低域信号比検出部２５と、追加パラメータ算出部２６と、エンベロープ情報算出部２７と、ストリームフォーマッタ部４１と接続される拡張帯域ストリームフォーマッタ部２８とからなる。
【００１６】
図３は、低域信号比検出部２５の構成を示すブロック図である。低域信号比検出部２５は、ＱＭＦ分析部２２と接続される低域バンドパワー算出部２５ａと、ＱＭＦ分析部２２と接続される高域バンドパワー算出部２５ｂと、ゲイン制御部２４と接続されるパワー比算出部２５ｃとからなる。
【００１７】
上記のように構成された、本発明の第１の実施形態に係る音声符号化装置の各部の動作を図１ないし図３を参照して説明する。
【００１８】
ＱＭＦ分析部２２は、受信されたＰＣＭ音声信号１１を周波数領域に変換し、サブバンド信号を生成する。グリッド情報生成部２３は、ＱＭＦ分析部２２によって生成されたサブバンド信号の過渡信号の検出結果に基づいて、エンベロープ情報の区切りとなるグリッド情報を生成する。
【００１９】
低域信号比検出部２５は、ＱＭＦ分析部２２によって生成されたサブバンド信号を受信し、その信号の低域の信号のパワーと、高域の信号のパワーとの比を検出する。即ち、高域の信号のパワー（Ｐｈｉｇｈ）を低域の信号のパワー（Ｐｌｏｗ）で除した比を生成する。
【００２０】
ゲイン制御部２４は、低域信号比検出部２５によって検出されたＡＡＣエンコーダ部３２によって符号化される低域の信号のパワー（Ｐｌｏｗ）と、拡張帯域エンコーダ部２１によって符号化される高域の信号のパワー（Ｐｈｉｇｈ）との比（Ｐｈｉｇｈ／Ｐｌｏｗ）に基づいて、ＱＭＦ分析部２２によって生成された高域のサブバンド信号に所定のゲインを与えた信号を生成する。
【００２１】
ここで、ゲインは、上記比が所定の値以下であれば、１である。そして、その比が所定の値を超えれば、１未満の値を取る単調減少関数である。即ち、高域の信号のパワーが一定であると、低域の信号のパワーが小さくなるほど、小さいゲインを与える、言い換えると、大きい減衰を与える。
【００２２】
図３を参照して、低域信号比検出部２５を構成する各部の動作を説明する。低域バンドパワー算出部２５ａは、ＱＭＦ分析部２２によって生成されたサブバンド信号の低域のサブバンド信号のパワー（Ｐｌｏｗ）を算出する。高域バンドパワー算出部２５ｂは、ＱＭＦ分析部２２によって生成されたサブバンド信号の高域のサブバンド信号のパワー（Ｐｈｉｇｈ）を算出する。そして、パワー比算出部２５ｃは、高域バンドパワー算出部２５ｂによって算出された高域の信号のパワー（Ｐｈｉｇｈ）を低域バンドパワー算出部２５ａによって算出された低域の信号のパワー（Ｐｌｏｗ）で除して商を求めることによって、パワー比（Ｐｈｉｇｈ／Ｐｌｏｗ）を生成する。
【００２３】
なお、この比を生成する際、周波数領域での低域信号と高域信号との区切り位置、即ちＡＡＣ符号化と拡張帯域符号化の区切りとなる位置は、サンプリング周波数や、符号化レートに依存する。そこで、パワー比算出部２５ｃは、低域サブバンド数Ｎｌｏｗと高域サブバンド数Ｎｈｉｇｈの比（Ｎｌｏｗ／Ｎｈｉｇｈ）を乗算することで補正する。結果として、補正されたパワー比Ｐｒは（Ｐｈｉｇｈ／Ｐｌｏｗ）×（Ｎｌｏｗ／Ｎｈｉｇｈ）となる。
【００２４】
図２を参照して、拡張帯域エンコーダ部２１を構成する各部の動作の説明に戻る。追加パラメータ算出部２６は、グリッド情報生成部２３によって生成されたグリッド情報によって区切られたサブバンドであって、ゲイン制御部２４によって送信された信号の中で、エンベロープ情報では表現できない信号を検出する。そして、その信号を表現するノイズレベルなどの追加情報を求め、その追加情報を示すパラメータを生成する。
【００２５】
エンベロープ情報算出部２７は、グリッド情報生成部２３によって生成されたグリッド情報によって区切られたサブバンド信号に対して、高域のサブバンドサンプルの領域（セグメント）毎のパワー情報をエンベロープ情報として符号化する。
【００２６】
拡張帯域ストリームフォーマッタ部２８は、グリッド情報生成部２３によって生成されたグリッド情報と、追加パラメータ算出部２６によって生成された追加情報を示すパラメータと、エンベロープ情報算出部２７によって符号化された高域の音声信号とを受信し、所定の拡張帯域、即ち、高域の音声信号符号化情報を所定の形式のストリームに整えて送信する。拡張帯域ストリームフォーマッタ部２８によって所定の形式に整えられた符号化された高域の音声信号は、ストリームフォーマッタ部４１に送信する。
【００２７】
低サンプリング周波数化部３１は、ＰＣＭ音声信号１１を受信して、その信号に含まれる低域の信号をダウンサンプル処理して生成する。例えば、通常のＡＡＣ符号化とＳＢＲ符号化の組合せでは、入力信号がサンプリングされた周波数の２分の１の周波数でサンプリングされた信号を生成するが、本発明の意味するところは低サンプリング周波数を生成する処理であって、２分の１の周波数に限るものではない。ＡＡＣエンコーダ部３２は、低サンプリング周波数化部３１によって生成された低域の音声信号を受信して、ＡＡＣ方式によって符号化し、符号化された信号を送信する。
【００２８】
ストリームフォーマッタ部４１は、拡張帯域ストリームフォーマッタ部２８によって所定の形式に整えられた符号化された高域の音声信号と、ＡＡＣエンコーダ部３２によって符号化された低域の音声信号とを受信して、これらの高域の音声信号と、低域の音声信号とを所定の形式のストリームに整えて、符号化された音声信号である符号化音声信号１２を送信する。
【００２９】
上記のように、低域信号比検出部２５によって、低域の音声信号のパワーが高域の音声信号に対してより小さい程、高域の音声信号により大きな減衰を与えて符号化する。これは、次の理由による。低域の音声信号のパワーが小さいと、それをコピーして得られる高域信号は、周波数解像度の低いエンベロープ情報を基にエンベロープ補正（ゲインアップ）して得られるため、特に低域信号と高域信号の相関が低い場合には、歪みが大きくなりノイズとして知覚されるためである。また、人間の聴感上重要な低域信号が小さい上、高域の歪みに対するマスキング効果も働かないため、ノイズが知覚されやすくなる。そこで、上記減衰によって、符号化音声信号１２がデコードされた信号を聴取した使用者に、そのノイズによる違和感を与え難くする効果がある。
【００３０】
（第２の実施形態）
本発明の第２の実施形態に係る音声符号化装置と、第１の実施形態に係る音声符号化装置との相違点は、拡張帯域エンコーダ部２１にある。そこで、第２の実施形態に係る拡張帯域エンコーダ部２１の説明をする。図４は、その拡張帯域エンコーダ部２１の構成を示すブロック図である。この第２の実施形態に係る拡張帯域エンコーダ部２１で、第１の実施形態に係る拡張帯域エンコーダ部２１と同じ部分には、同じ符号を付して説明を省略する。
【００３１】
この拡張帯域エンコーダ部２１は、ＰＣＭ音声信号１１を受信するＱＭＦ分析部２２と、グリッド情報生成部２３と、符号化方式選択部２４ａと、低域信号比検出部２５と、追加パラメータ算出部２６と、エンベロープ情報算出部２７と、ストリームフォーマッタ部４１と接続される拡張帯域ストリームフォーマッタ部２８ａと、ＨＦＣ（High Frequency Coding）符号化部２９とからなる。
【００３２】
即ち、この拡張帯域エンコーダ部２１は、第１の実施形態に係る拡張帯域エンコーダ部２１と比較して、ゲイン制御部２４に代えて符号化方式選択部２４ａを有し、拡張帯域ストリームフォーマッタ部２８に代えて拡張帯域ストリームフォーマッタ部２８ａを有し、更に、ＨＦＣ符号化部２９を有する。
【００３３】
図５は、ＨＦＣ符号化部２９の構成を示すブロック図である。このＨＦＣ符号化部２９は、符号化方式選択部２４ａ及びグリッド情報生成部２３と接続されるトーナリティ算出部２９ａと、グリッド情報生成部２３と接続される符号化モード選択部２９ｂと、拡張帯域ストリームフォーマッタ部２８ａと接続されるパラメータ符号化部２９ｃと、拡張帯域ストリームフォーマッタ部２８ａと接続される波形符号化部２９ｄとからなる。
【００３４】
上記のように構成された、本発明の第２の実施形態に係る拡張帯域エンコーダ部２１の動作を図４ないし図６を参照して説明する。
【００３５】
符号化方式選択部２４ａは、低域信号比検出部２５によって生成されたパワー比（Ｐｒ）を受信して、この比が所定の閾値以下である場合、高域の信号を、追加パラメータ算出部２６及びエンベロープ情報算出部２７によって符号化することを選択し、ＱＭＦ分析部２２によって生成された高域のサブバンド信号をこれらの処理部に送って符号化させる。
【００３６】
一方、パワー比（Ｐｒ）が所定の閾値を超える場合、高域の信号を、ＨＦＣ符号化部２９によって符号化することを選択し、ＱＭＦ分析部２２によって生成された高域のサブバンド信号をＨＦＣ符号化部２９に送って符号化させる。
【００３７】
トーナリティ算出部２９ａは、ＱＭＦ分析部２２によって生成された高域のサブバンド信号を受信して、グリッド情報生成部２３によって生成されたグリッドによって区切られた領域の各サブバンド信号に対してトーナリティを算出する。トーナリティ算出の際には、例えば、線形予測ゲインを用いる。この際、よりパワーの大きい信号の特性が反映されやすいように、パワーに応じてトーナリティの値を重み付けする。重み付けは、スケールファクタバンド内で最大のパワー値を持つサブバンド信号のパワー値で正規化することによりなされる。
【００３８】
符号化モード選択部２９ｂは、トーナリティ算出部２９ａによって算出されたトーナリティを受信し、グリッド情報生成部２３によって生成されたグリッドによって区切られた領域のスケールファクタバンド内の各サブバンド信号のトーナリティに基づいて、そのスケールファクタバンド毎の符号化モードを選択する。即ち、スケールファクタバンド内の各サブバンド信号のトーナリティの値で最も高い値が所定の閾値以上であるか否かで判断する。
【００３９】
そのトーナリティが所定の閾値以下である場合、そのスケールファクタバンドは、ノイズライクな信号であると判断され、符号化モード選択部２９ｂは、グリッドによって区切られた領域の信号に関するパワー情報を含むパラメータ情報をパラメータ符号化部２９ｃに符号化させる。一方、そのトーナリティが所定の閾値を超える場合、上記信号を波形符号化部２９ｄに符号化させる。
【００４０】
パラメータ符号化部２９ｃは、セグメント毎にノイズライクな信号の符号化であることを示すフラグとパワー情報とを符号化する。波形符号化部２９ｄは、各サブバンドサンプルを波形符号化する。波形符号化は、目標とする拡張帯域ストリームのビットレートに応じ、言い換えると、目標とする拡張帯域ストリームフォーマッタ部２８ａによって送信される情報の量に応じて、セグメント毎のスケールファクタ（量子化ステップ）を決定する。そして、量子化された各サブバンドサンプルの差分値をハフマン符号化する。
【００４１】
拡張帯域ストリームフォーマッタ部２８ａは、グリッド情報生成部２３によって生成されたグリッド情報と、追加パラメータ算出部２６によって生成された追加情報を示すパラメータと、エンベロープ情報算出部２７によって符号化された高域の音声信号とに加えて、パラメータ符号化部２９ｃによって符号化されたパラメータ情報と、波形符号化部２９ｄによって符号化された高域の音声信号を受信する。そして、これらの受信された信号を、所定の拡張帯域、即ち、高域の音声信号が符号化された所定の形式のストリームに整えて送信する。
【００４２】
図６は、第２の実施形態に係る音声符号化装置によって各サブバンドがいずれかの方法によって符号化された一例を示す。ここでは、１６個のサブバンドに分割されているとする。低域の６つのサブバンドは、ＡＡＣエンコーダ部３２によってＡＡＣ符号化される。図６では、これらのサブバンドに右上から左下へのハッチングを施してある。
【００４３】
高域のサブバンドは、周波数が低い順に、３つのサブバンドを持つ第１のスケールファクタバンド（ｓｆｂ１）、３つのサブバンドを持つ第２のスケールファクタバンド（ｓｆｂ２）、４つのサブバンドを持つ第３のスケールファクタバンド（ｓｆｂ３）に分割されている。
【００４４】
各スケールファクタバンドの中で、最も高いトーナリティを持つサブバンドが符号化モード選択部２９ｂによって判断され、そのトーナリティが各スケールファクタバンド毎の閾値と比較される。図６で、各スケールファクタバンドの中で、最も高いトーナリティを持つサブバンドに左上から右下へのハッチングを施してある。
【００４５】
そして、そのトーナリティが所定の閾値以下であれば、そのスケールファクタバンドの信号は、パラメータ符号化部２９ｃに符号化させる。一方、そのトーナリティが所定の閾値を超える場合、波形符号化部２９ｄに符号化させる。
【００４６】
図６に示す一例では、ｓｆｂ１で最大のトーナリティはｓｆｂ１用の閾値ＴＨ１を超える（ｔｏｎａｌ（ｍａｘ）＞ＴＨ１）ため、ｓｆｂ１の信号は波形符号化部２９ｄによって符号化される。また、ｓｆｂ２で最大のトーナリティはｓｆｂ２用の閾値ＴＨ２を超える（ｔｏｎａｌ（ｍａｘ）＞ＴＨ２）ため、ｓｆｂ２の信号は波形符号化部２９ｄによって符号化される。
【００４７】
そして、ｓｆｂ３で最大のトーナリティはｓｆｂ３用の閾値ＴＨ３未満である（ｔｏｎａｌ（ｍａｘ）＜ＴＨ３）ため、ｓｆｂ３の信号はパラメータ符号化部２９ｃによってパワー情報を含むパラメータ情報として符号化される。ここで、聴覚特性を考慮して、高域ほどパラメータ符号化が選択されやすくするため、上記閾値は、高域ほど大きくする（ＴＨ１＜ＴＨ２＜ＴＨ３）。
【００４８】
なお、この拡張帯域エンコーダ部２１の動作と、第１の実施形態に係る拡張帯域エンコーダ部２１の動作とを比較すると、パワー比（Ｐｒ）が高い場合、高域の信号は、聴感上歪みが知覚されやすいトーナルな信号に対して波形符号化部２９ｄによる波形符号化が行われることにより、高域の信号を低歪みで符号化できる。
【００４９】
一方、その場合、拡張帯域エンコーダ部２１によって作成される符号のビット数は多いことがある。しかし、上記比が高いことは、低域の信号がない、または微小であることを意味し、その結果、ＡＡＣエンコーダ部３２によって作成される低域の信号に割り当てられるビット数は少ない。その結果、符号化音声信号１２のビット数が過大になることを防ぐことができる。
【００５０】
（その他の実施形態）
本発明の実施形態に係る音声符号化装置は、プログラムを利用して動作するコンピュータであっても良い。また、本発明は、音声信号を符号化するあらゆる装置に適用することが当然に可能である。ここで、音声信号は、人が発生した声、楽音、その他のあらゆる音を含むことは、言うまでもない。また、上記の実施形態で説明した要素を適宜組み合わせても良い。本発明は以上の構成に限定されるものではなく、種々の変形が可能である。
【図面の簡単な説明】
【００５１】
【図１】本発明の第１の実施形態に係る音声符号化装置の構成を示すブロック図。
【図２】本発明の第１の実施形態に係る拡張帯域エンコーダ部の構成を示すブロック図。
【図３】本発明の第１の実施形態に係る低域信号比検出部の構成を示すブロック図。
【図４】本発明の第２の実施形態に係る拡張帯域エンコーダ部の構成を示すブロック図。
【図５】本発明の第２の実施形態に係るＨＦＣ符号化部の構成を示すブロック図。
【図６】本発明の第２の実施形態に係る各サブバンドの符号化方式の選択の一例を示す図。
【符号の説明】
【００５２】
１１  ＰＣＭ音声信号
１２  符号化音声信号
２１  拡張帯域エンコーダ部
２２  ＱＭＦ分析部
２３  グリッド情報生成部
２４  ゲイン制御部
２４ａ  符号化方式選択部
２５  低域信号比検出部
２５ａ  低域バンドパワー算出部
２５ｂ  高域バンドパワー算出部
２５ｃ  パワー比算出部
２６  追加パラメータ算出部
２７  エンベロープ情報算出部
２８、２８ａ  拡張帯域ストリームフォーマッタ部
２９  ＨＦＣ符号化部
２９ａ  トーナリティ算出部
２９ｂ  符号化モード選択部
２９ｃ  パラメータ符号化部
２９ｄ  波形符号化部
３１  低サンプリング周波数化部
３２  ＡＡＣエンコーダ部
４１  ストリームフォーマッタ部
【図１】
2008058727.tif 000003
【図２】
2008058727.tif 000004
【図３】
2008058727.tif 000005
【図４】
2008058727.tif 000006
【図５】
2008058727.tif 000007
【図６】
2008058727.tif 000008